(57)【要約】【課題】  キャスターを有する鍵盤楽器であっても、ケースなどを損傷することなく、足鍵盤を適切に操作することができる鍵盤楽器を提供する。【解決手段】オルガン本体４の下端部から前方に延びるとともに上下方向に揺動自在に設けられ、演奏者に踏み込まれたときに下方に揺動する複数の足鍵２１から成る足鍵盤３と、オルガン本体４の底部に取り付けられ、オルガン本体４を床面Ｆ上で移動自在に支持するキャスター５と、床面Ｆに載置した状態で足鍵盤３の下方に設けられ、演奏者の踏み込みに伴い下方に揺動する足鍵２１が当接する台座３１と、を備えている。【選択図】  図１
2006139183.tif 000002
【特許請求の範囲】
【請求項１】
楽器本体の下端部から前方に延びるとともに上下方向に揺動自在に設けられ、演奏者に踏み込まれたときに下方に揺動する複数の足鍵から成る足鍵盤と、
前記楽器本体の底部に取り付けられ、当該楽器本体を床面上で移動自在に支持するキャスターと、
床面に載置した状態で前記足鍵盤の下方に設けられ、演奏者の踏み込みに伴い下方に揺動する前記足鍵が当接する足鍵受け部と、
を備えていることを特徴とする鍵盤楽器。
【請求項２】
前記足鍵受け部は、前記楽器本体の床面からの高さと同じ高さ寸法を有することを特徴とする請求項１に記載の鍵盤楽器。
【請求項３】
前記足鍵受け部は、前記楽器本体に固定されていることを特徴とする請求項１または２に記載の鍵盤楽器。
【請求項４】
前記足鍵受け部および前記キャスターは、前記楽器本体に着脱自在に取り付けられていることを特徴とする請求項３に記載の鍵盤楽器。
【請求項５】
前記足鍵受け部は、前記足鍵盤よりも前方に突出するように設けられていることを特徴とする請求項１ないし４のいずれかに記載の鍵盤楽器。
【発明の詳細な説明】
【技術分野】
【０００１】
本発明は、演奏時に演奏者が足で操作する足鍵盤を備えた電子オルガンなどの鍵盤楽器に関する。
【背景技術】
【０００２】
一般に、足鍵盤を備えた鍵盤楽器として、電子オルガンが知られている。電子オルガンでは通常、オルガン本体の上部に設けられた手鍵盤の操作により、メロディーやハーモニー、伴奏音が発生する一方、オルガン本体の下端部に設けられた足鍵盤の操作により、ベース音が発生する。足鍵盤は、前後方向に延びるとともに上下方向に揺動自在に設けられ、左右方向に並んだ複数の足鍵で構成されている。また、足鍵盤は、演奏時に、足鍵のいずれかが、演奏者の足裏全体で踏み込まれるように操作されるため、踏み込まれた足鍵には、比較的大きな荷重が作用する。そのため、過大な荷重が足鍵を介してオルガン本体の外殻のケースなどに作用するのを防止するとともに、足鍵が必要以上に大きく揺動するのを防止するために、足鍵盤は通常、足鍵が踏み込まれ、所定ストローク、下方に揺動したときに、その下面前端部が電子オルガンの設置場所の床面に当接するような適切な高さに設定されている。
【０００３】
また、電子オルガンには通常、その底部にキャスターを設けることがほとんどないものの、例えば、老人ホームや学校などの施設において、電子オルガンを、普段は保管室などに保管し、演奏会などの際に保管室から出し入れする必要がある場合など、電子オルガンを移動させる頻度が高い場合には、オルガン本体の底部にキャスターを取り付けておくことが好ましい。しかしこの場合には、オルガン本体にキャスターを取り付けることによって、オルガン本体が床面から嵩上げされ、その結果、足鍵盤が適切な高さよりも高くなってしまう。このような状態で、足鍵盤を操作する場合には、踏み込まれた足鍵が床面に届かないことがあり、その場合には、足鍵に過大な荷重が作用することで、オルガン本体のケースなどを損傷するおそれがある。
【０００４】
もちろん、電子オルガンにキャスターを取り付けた場合には、例えば、本出願人が既に提案した特許文献１のように、足鍵盤の高さを調整することが考えられる。この特許文献１の電子オルガンは、互いに左右方向に間隔を隔てて配置された左右の親板間に、足鍵盤およびエクスプレッションペダルを備えた箱状の足鍵ユニットを配置し、その足鍵ユニットの高さを４段階に設定可能に構成されている。より具体的には、足鍵ユニットの左右の側板にそれぞれ、横に並んだ２つのねじ孔が設けられる一方、左右の親板にそれぞれ、横に並んだ２つの孔を１組とする計４組の調整孔が、互いに上下方向に間隔を隔てて設けられている。足鍵盤の高さを調整する場合には、足鍵ユニットの各側板の２つのねじ孔を各親板の４組の調整孔のいずれかに位置決めした後、外側から各調整孔にねじを挿入し、ねじ孔にねじ込むことによって、足鍵ユニットを左右の親板間に固定する。
【０００５】
しかし、特許文献１では、サイズおよび重量が比較的大きな足鍵ユニット、あるいは左右の親板を、上下方向に動かしながら、足鍵ユニット側のねじ孔と親板側の調整孔とを位置決めし、さらに、調整孔およびねじ孔にねじを挿入しなければならず、足鍵盤の高さ調整が非常に煩雑である。
【０００６】
本発明は、以上のような課題を解決するためになされたものであり、キャスターを有する鍵盤楽器であっても、ケースなどを損傷することなく、足鍵盤を適切に操作することができる鍵盤楽器を提供することを目的とする。
【０００７】
【特許文献１】実開平６−２１０９２号公報
【発明の開示】
【課題を解決するための手段】
【０００８】
上記の目的を達成するために、請求項１に係る発明は、楽器本体の下端部から前方に延びるとともに上下方向に揺動自在に設けられ、演奏者に踏み込まれたときに下方に揺動する複数の足鍵から成る足鍵盤と、楽器本体の底部に取り付けられ、楽器本体を床面上で移動自在に支持するキャスターと、床面に載置した状態で足鍵盤の下方に設けられ、演奏者の踏み込みに伴い下方に揺動する足鍵が当接する足鍵受け部と、を備えていることを特徴とする。
【０００９】
この鍵盤楽器では、楽器本体の底部に取り付けられたキャスターによって、楽器本体が床面上で移動自在に支持される。また、演奏者が足鍵を踏み込むことにより、その足鍵が下方に揺動し、床面に載置した状態で足鍵盤の下方に設けられた足鍵受け部に当接する。楽器本体へのキャスターの取り付けによって、楽器本体が床面から嵩上げされ、それに伴い、足鍵盤が前述した適切な高さよりも高くなった場合でも、足鍵盤の下方の床面に足鍵受け部を載置するだけで、下方に揺動した足鍵が足鍵受け部に当接するので、従来のような煩雑な足鍵盤の高さ調整が不要であり、演奏時に、楽器本体のケースなどを損傷することなく、足鍵盤を適切に操作することができる。
【００１０】
請求項２に係る発明は、請求項１に記載の鍵盤楽器において、足鍵受け部は、楽器本体の床面からの高さと同じ高さ寸法を有することを特徴とする。
【００１１】
この構成によれば、足鍵受け部の高さ寸法が、楽器本体の床面からの高さ、すなわち、楽器本体へのキャスターの取り付けに伴い、楽器本体が床面から嵩上げされた高さと同じであるので、キャスターを有しない鍵盤楽器の足鍵盤を操作する場合と同じストロークで、足鍵を下方に揺動させ、足鍵受け部に当接させることができる。これにより、演奏者は、キャスターを有しない鍵盤楽器を演奏する場合と同じ操作感覚で、足鍵盤を操作することができる。
【００１２】
請求項３に係る発明は、請求項１または２に記載の鍵盤楽器において、足鍵受け部は、楽器本体に固定されていることを特徴とする。
【００１３】
この構成によれば、足鍵受け部が楽器本体に固定されているので、演奏時に足鍵が繰り返し当接しても、足鍵受け部ががたついたり、床面上で動いたりすることがない。加えて、鍵盤楽器を、その使用前後に床面上で移動させる際に、楽器本体とともに足鍵受け部も一緒に移動させることができる。
【００１４】
請求項４に係る発明は、請求項３に記載の鍵盤楽器において、足鍵受け部およびキャスターは、楽器本体に着脱自在に取り付けられていることを特徴とする。
【００１５】
この構成によれば、キャスターおよび足鍵受け部が楽器本体に取り付けられた鍵盤楽器において、その鍵盤楽器を常時、一定個所に設置する場合など、鍵盤楽器を移動させる必要がなくなった場合には、楽器本体からキャスターおよび足鍵受け部を取り外すことにより、足鍵盤を通常の使用状態（演奏時に踏み込まれた足鍵が床面に当接する）で操作することができる。
【００１６】
請求項５に係る発明は、請求項１ないし４のいずれかに記載の鍵盤楽器において、足鍵受け部は、足鍵盤よりも前方に突出するように設けられていることを特徴とする。
【００１７】
この構成によれば、足鍵受け部の足鍵盤よりも前方に突出した部分を、演奏者が自身の足置きとして利用しながら演奏でき、足を床面に付けた状態から大きく動かして足鍵盤を操作する場合に比べて、足鍵盤の操作を容易に行うことができる。
【発明を実施するための最良の形態】
【００１８】
以下、図面を参照しながら、本発明の好ましい実施形態を詳細に説明する。図１は、本発明の一実施形態による鍵盤楽器を適用した電子オルガンを示している。同図に示すように、この電子オルガン１（鍵盤楽器）は、上下２段の手鍵盤２、２および足鍵盤３を備えた一般的な電子オルガンの本体（以下「オルガン本体４」という）の底部に、４つのキャスター５（図１では３つのみ図示）を取り付けたものである。また、この電子オルガン１では、キャスター５の取り付け前の状態において、足鍵盤３が床面Ｆから適切な所定の高さに設定されている。
【００１９】
オルガン本体４（楽器本体）は、上記手鍵盤２、２および各種のスイッチなどを有し、演奏者の手で操作される演奏部１１と、この演奏部１１を下方から支持するスタンド１２とで構成されている。スタンド１２は、演奏部１１の左右方向の幅とほぼ同程度に間隔を隔てて配置された左右一対のスタンド本体１３、１３と、左右方向に延び、両スタンド本体１３、１３の下端部間に連結されたペダル土台１４とを有している。
【００２０】
各スタンド本体１３は、上下方向に延び、上端部において上記演奏部１１を支持する側板１５と、この側板１５の底部に、前後方向（演奏者から見て手前側が「前」、奥側が「後」）に延びるように固定された妻土台１６とで構成されている。各妻土台１６は、側板１５よりも前方に延びていて、底面に、前後方向に所定間隔を隔てて、前後２つの上記キャスター５、５が取り付けられている。
【００２１】
各キャスター５は、水平に延びる軸線および鉛直軸線を中心に回転自在になっており、図２に示すように、上端部の取付板５ａを介して、妻土台１６の底面にねじなどによって着脱自在に取り付けられ、これにより、オルガン本体４が、床面Ｆ上で移動自在に支持されている。また、各キャスター５は、所定の高さ寸法を有しており、したがって、４つのキャスター５をオルガン本体４の底面に取り付けた状態では、その分（高さＨ）、オルガン本体４が床面Ｆから嵩上げされる。なお、各キャスター５には、図示しないストッパ機構が設けられており、そのストッパ機構によって、電子オルガン１を床面Ｆ上で不動にできるようになっている。
【００２２】
図１に示すように、ペダル土台１４には、その上面に、演奏時の音量や音色を変化させるためのエクスプレッションペダル１７が設けられる一方、左半部に、上記足鍵盤３が設けられている。この足鍵盤３は、演奏時にベース音を発生させるためのものであり、前後方向に延びるとともに、左右方向に並んだ複数（本実施形態では１３）の足鍵２１で構成されている。より具体的には、足鍵盤３は、ペダル土台１４の前面に設けられた横長の開口１４ａを介して前方に延び、比較的長尺の足鍵２１ａおよびそれよりも短尺の足鍵（黒鍵）２１ｂからなり、各足鍵２１はいずれも、ペダル土台１４内の図示しない支点を中心として、上下方向に揺動自在に構成されている。なお、各足鍵２１の下面前端部には、図２に示すように、半球状のゴム製の突部２２が設けられている。この突部２２は、上記キャスター５がオルガン本体４に取り付けられていない状態の電子オルガン１において、演奏時に足鍵２１が踏み込まれたときに、床面Ｆに上方から当接することで、床面Ｆが傷付くのを防止するためのものである。
【００２３】
また、ペダル土台１４の前面には、足鍵盤３の下方に、床面Ｆに載置した状態で、下方に揺動した足鍵２１を受けるための台座３１（足鍵受け部）が取り付けられている。台座３１は、平面形状が、ペダル土台１４よりも前方に延びている足鍵盤３の部分よりも一回り大きな横長矩形状で、木製または金属製の箱上に比較的肉厚のゴムマットを貼付したものであり、その底面の四隅にそれぞれ、若干突出したゴム足３１ａが設けられている。これらのゴム足３１ａを含めた台座３１の高さ寸法は、オルガン本体４の床面Ｆからの高さＨと同じであり、つまり、４つのキャスター５でオルガン本体４が床面Ｆから嵩上げされた高さと同じである。また、台座３１のペダル土台１４側の左右隅部にはそれぞれ、Ｌ型の取付金具３２、３２が接着などで固定されている。各取付金具３２のペダル土台１４側の取付片３２ａには、図示しない孔が設けられており、この孔を介して、取付ねじ３３をペダル土台１４の前面にねじ込むことによって、台座３１がペダル土台１４に取り付けられている。
【００２４】
また、台座３１は、図１および図２（ａ）に示すように、足鍵盤３よりも前方に突出するように取り付けられている。つまり、台座３１の前端部の上方には、足鍵盤３が存在せず、台座３１の前端部が、演奏者自身の足裏の前半部を置ける程度のスペースを有している。したがって、演奏者は、演奏時における足鍵盤３の操作の前後において、自身の足裏の前半部を台座３１の前端部に置くことで、台座３１の前端部を足置きとして利用しながら演奏でき、足を床面Ｆに付けた状態から大きく動かして足鍵盤３を操作する場合に比べて、足鍵盤３の操作を容易に行うことができる。
【００２５】
図３は、左側の妻土台１６の前半部および前側のキャスター５の図示を省略した状態における足鍵盤３の左側面図を示している。同図（ａ）の状態から、長尺の足鍵２１ａが演奏者に踏み込まれたときには、同図（ｂ）に示すように、その足鍵２１ａが下方に揺動し、下面の突部２２が台座３１上に当接する。これは、短尺の足鍵２１ｂが踏み込まれたときも同様である。
【００２６】
なお、上述したように、オルガン本体４にキャスター５を取り付けた電子オルガン１では、オルガン本体４が床面Ｆから高さＨ分、嵩上げされるため、この電子オルガン１を演奏する際には、例えば、演奏者が腰掛ける椅子として、座面を高さ調整自在のものを使用することが好ましい。この椅子の座面の高さを、演奏前にあらかじめ調整することにより、演奏者は、キャスター５によって嵩上げされた上記電子オルガン１を、適正な姿勢で演奏することができる。
【００２７】
以上詳述したように、本実施形態の電子オルガン１によれば、底部に４つのキャスター５を有するので、この電子オルガン１を床面Ｆ上で容易に移動させることができる。また、オルガン本体４へのキャスターの取り付けによって、オルガン本体４が床面Ｆから嵩上げされ、それに伴い、足鍵盤３が適切な高さよりも高くなるものの、ペダル土台１４の足鍵盤３の下方に、台座３１を床面Ｆに載置した状態で取り付けるので、演奏者に踏み込まれた足鍵２１が下方に揺動し、台座３１上に当接する。このように、オルガン本体４にキャスター５が取り付けられた場合でも、従来のような煩雑な足鍵盤の高さ調整が不要であり、演奏時に、オルガン本体４のケース、具体的にはペダル土台１４の外殻を構成するケースなどを損傷することなく、足鍵盤を適切に操作することができる。しかも、台座３１の高さ寸法が、キャスター５でオルガン本体４が嵩上げされた高さと同じであるので、キャスターを有しない電子オルガンの足鍵盤を操作する場合と同じストロークで、足鍵２１を下方に揺動させ、台座３１上に当接させることができる。これにより、演奏者は、キャスターを有しない電子オルガンを演奏する場合と同じ操作感覚で、足鍵盤３を操作することができる。
【００２８】
また、台座３１がペダル土台１４に固定されているので、演奏時に足鍵２１が繰り返し当接しても、台座３１ががたついたり、床面Ｆ上で動いたりすることがない。加えて、電子オルガン１を、その使用前後に床面Ｆに沿って移動させる際に、オルガン本体４とともに台座３１も一緒に移動させることができる。さらに、各キャスター５および台座３１がオルガン本体４に着脱自在であるので、両者がオルガン本体４に取り付けられた電子オルガン１において、その電子オルガン１を常時、一定個所に設置する場合など、電子オルガン１を移動させる必要がなくなった場合には、オルガン本体４からすべてのキャスター５および台座３１を取り外すことにより、足鍵盤３を通常の使用状態で操作することができる。
【００２９】
なお、本発明は、説明した上記実施形態に限定されることなく、種々の態様で実施することができる。例えば、実施形態では、本発明を電子オルガンに適用した場合についてのみ説明したが、本発明はこれに限定されるものではなく、足鍵盤を備えた他の鍵盤楽器にも適用することができる。また、キャスターを有しない既存の電子オルガンなどの鍵盤楽器に、キャスター５および台座３１を後付けすることで、本発明の鍵盤楽器を構成することも、もちろん可能である。
【００３０】
また、実施形態では、台座３１をペダル土台１４にねじ止めしているが、台座３１を常時はねじ止めせずに、電子オルガン１を演奏場所まで移動させてから、ペダル土台１４にねじ止めしてもよく、あるいは、電子オルガン１の使用時間が比較的短い場合など、台座３１をねじ止めしなくても足鍵盤３の操作に支障がない場合には、台座３１をねじ止めせずに、足鍵盤３の下方の床面Ｆに単に載置するようにしてもよい。
【００３１】
さらに、台座３１をペダル土台１４に取り付けた状態の電子オルガン１では、通常の姿勢（演奏時の姿勢）のまま、４つのキャスター５を利用して移動させると、台座３１の底面のゴム足３１ａを床面Ｆ上で引き摺ってしまう。そのため、電子オルガン１の移動の際には、台座３１をペダル土台１４から取り外した状態で移動させたり、あるいは、台座３１をペダル土台１４に対し、上下方向にスライド可能に構成し、台座３１を床面Ｆから浮かせた状態で、移動させたりすることが好ましい。後者の移動を実現するための台座３１の構成については、例えば、取付金具３２のペダル土台１４側の取付片３２ａに、縦長の孔を形成することで、上下方向にスライド可能な台座３１を容易に実現することができる。なお、台座３１が床面Ｆに載置した状態でペダル土台１４に取り付けられている場合であっても、例えば、電子オルガン１を後方に傾斜させることで、台座３１を床面Ｆから浮かせ、後ろ側の左右２つのキャスター５、５のみを利用しながら、電子オルガン１を床面Ｆ上で移動させることにより、台座３１のゴム足３１ａを床面Ｆ上で引き摺ることなく、電子オルガン１を容易に移動させることができる。
【００３２】
また、実施形態で示したキャスター５や台座３１の細部の構成などは、あくまで例示であり、本発明の趣旨の範囲内で適宜、変更することができる。特に、オルガン本体４に取り付けられるキャスター５の数については、オルガン本体４を床面Ｆ上で適切に移動自在に支持できる数であれば、４つ以外の数であってもよく、また、台座３１の高さ寸法については、足鍵盤３の操作でオルガン本体４のケースなどを損傷せず、かつ足鍵盤３の操作を適切に行える程度であれば、上記高さＨ以外の寸法を採用することも可能である。
【図面の簡単な説明】
【００３３】
【図１】本発明の一実施形態による鍵盤楽器を適用した電子オルガンを示す斜視図である。
【図２】図１の電子オルガンの足鍵盤の周辺を示す図であり、（ａ）は左側面図、（ｂ）は正面図である。
【図３】図２（ａ）の妻土台の前半部および前側のキャスターを省略した図であり、（ａ）は足鍵を踏み込む前の状態、（ｂ）は足鍵を踏み込んだ状態を示す。
【符号の説明】
【００３４】
１  電子オルガン（鍵盤楽器）
２  手鍵盤
３  足鍵盤
４  オルガン本体（楽器本体）
５  キャスター
１１  演奏部
１２  スタンド
１４  ペダル土台
２１  足鍵
３１  台座（足鍵受け部）
３２  取付金具
Ｈ  オルガン本体の床面からの高さ
Ｆ  床面
【図１】
2006139183.tif 000003
【図２】
2006139183.tif 000004
【図３】
2006139183.tif 000005